(57)【特許請求の範囲】
【請求項１】
室内壁Ｗによって囲われる床スラブＳの上に複数の床パネル１・１…の各々の表面レベルがフロアポスト３・３…のアジャストボルト機構31・31…を介して面一に調整されて敷き詰められたレベル調整床であって、
これら床パネル１のうち、前記室内壁Ｗ側に位置する壁廻りパネル１ａ・１ａ…には、各々の壁際縁部11にチャンネル材２の凹部21を嵌合させることによって当該壁際縁部11に剛性を付与して荷重偏在によるレベル不整を防止して、かつ、前記チャンネル材２の上面に補強リブ22を設けることによって、当該チャンネル材２に剛性が付与されて強度が向上すると同時に、フローリング材５との間に溝形空間Ａが作出されるようにしたことを特徴とするレベル調整床パネルの壁際縁部の補強構造。
【請求項２】
少なくとも隣接する壁廻りパネル１ａ・１ａの各々の壁際縁部11・11を跨いでチャンネル材２の凹部21が嵌合されて当該壁際縁部11に剛性が付与されたことを特徴とする請求項１記載のレベル調整床パネルの壁際縁部の補強構造。
【請求項３】
室内壁Ｗとチャンネル材２との間に緩衝部材６が介装されていることを特徴とする請求項１または２記載のレベル調整床パネルの壁際縁部の補強構造。
【請求項４】
チャンネル材２と緩衝部材６とが嵌合可能に形成されていることを特徴とする請求項１〜３の何れか一つに記載のレベル調整床パネルの壁際縁部の補強構造。
【請求項５】
壁廻りパネル１ａの壁際縁部11に嵌合されたチャンネル材２の下面に、フロアポスト３を取り付けることを特徴とする請求項１〜４の何れか一つに記載のレベル調整床パネルの壁際縁部の補強構造。
【請求項６】
室内壁Ｗとチャンネル材２とが固定可能な吊下げ部材７・７…が配設されていることを特徴とする請求項１〜５の何れか一つに記載のレベル調整床パネルの壁際縁部の補強構造。
【請求項７】
室内壁Ｗによって囲われる床スラブＳの上に床パネル１・１…を敷設するにあたり、
これら床パネル１・１…のうち、少なくとも室内壁Ｗ側に位置する各々の壁廻りパネル１ａの壁際縁部11に、チャンネル材２の凹部21を嵌合して剛性を付与する一方、
各床パネル１の表面のレベルをフロアポスト３・３…のアジャストボルト機構31・31…を介して面一に調整しながら敷き詰めてゆき、こうして敷き詰められた前記各床パネル１・１…のパネル表面上に捨張部材４とフローリング材５とを布設せしめるとともに、前記チャンネル材２の上面に、前記フローリング材５との間に溝形空間Ａが形成されるように補強リブ22を設け、当該チャンネル材２に剛性を付与して強度を向上せしめると同時に、この溝形空間Ａに配管や、電力・電話回線、信号回線などを配設することを特徴とするレベル調整床パネルの壁際縁部の補強工法。
【請求項８】
壁廻りパネル１ａの壁際縁部11にチャンネル材２を嵌合させてから、室内側に向かって床パネル１を敷き詰めてゆくことを特徴とする請求項７記載のレベル調整床パネルの壁際縁部の補強工法。
【請求項９】
室内壁Ｗとチャンネル材２との間に緩衝部材６を介装させて設置することを特徴とする請求項７または８の何れか一つに記載のレベル調整床パネルの壁際縁部の補強工法。
【請求項１０】
チャンネル材２に吊下げ部材７・７…を配設し、室内壁Ｗに固定することを特徴とする請求項７〜９の何れか一つに記載のレベル調整床パネルの壁際縁部の補強工法。
【発明の詳細な説明】
【０００１】
【発明の属する技術分野】
本発明は、建築用床材の改良、更に詳しくは、非常に簡素な構造にして、レベル調整床パネルの壁際縁部を確実に補強することができ、かつ、載置されたフローリング材の振動や騒音を効率的に減少せしめ、しかも、施工性に非常に優れたレベル調整床パネルの壁際縁部の補強構造、および同壁際縁部の補強工法に関するものである。
【０００２】
【従来の技術】
近年、建築技術は日進月歩で発展しており、機能面、安全面、コスト面の向上および施工性の効率化を図るべく試行錯誤が行われている。このような背景において、建築物のフロアを構築する床下の床組み工事においては、床スラブの上に複数の床パネルを配列して敷き詰めることによる、所謂「置敷式」のものが広く採用されている。
【０００３】
このような置敷式の床組み構造においては、室内壁側に位置する壁廻りパネルの壁際縁部は図１２に示すようにフロアポストが遠ざかる程、下方からの支持力が小さくなるので、強度がどうしても低下してしまうという問題があり、また、湿度の影響などで時間の経過と共に当該壁際縁部が反って、当初の設置面から浮き上がってしまうおそれがあった。
【０００４】
このように壁際縁部が浮き上がってしまった不安定な床パネルは、足で踏みつける度に振動と騒音を発してしまい、この振動が壁面を伝播して隣室に迷惑を与えるおそれがあった。
【０００５】
そこで、この床パネルの壁際縁部が反って浮き上がるのを防止し、強度を補強するためには、壁廻りに根太（際根太）Ｎを設置し、その上に床パネルの壁際縁部を載置することによって壁廻りにおける支持および固定を行っていた。
【０００６】
しかしながら、こうして根太Ｎを設置することによって支持強度は向上したものの、根太Ｎを設置する際には図１３に示すように壁面に釘を打ち込んで固定せねばならないため、そのレベル出し作業には非常に技巧が必要であった。
【０００７】
また、固定された根太Ｎへ伝わった振動が更に床面や壁面に伝わってしまい、遮音性能が悪くなるという欠点があり、このように振動や騒音が発生することによって、生活空間やオフィス空間などにおける静寂な雰囲気を求める要望に応じることができなかった。
更にまた、オフィスなどでは、配管や、電力・電話回線、信号回線などが必要であるけれども、フロア表面に配設すると障害になってしまうという問題がある。
【０００８】
【発明が解決しようとする課題】
本発明は、従来の建築用床材に上記のような欠点があったことに鑑みて為されたものであり、非常に簡素な構造にして、床パネルの壁際縁部を確実に補強することができ、かつ、載置されたフローリング材の振動や騒音を効率的に減少せしめるとともに、オフィスなどにおいて、配管や、電力・電話回線、信号回線などを収容して、フロア表面をスッキリとさせることができ、しかも、施工性に非常に優れたレベル調整床パネルの壁際縁部の補強構造を提供することを技術的課題とする。
【０００９】
また、本発明は、床パネルの壁際縁部を確実に安定的に支持するためのレベル調整床パネルの壁際縁部の補強工法を提供することを技術的課題とする。
【００１０】
【課題を解決するための手段】
本発明者が上記課題を解決するために採用した手段を添付図面を参照して説明すれば次のとおりである。
【００１１】
即ち、本発明は、室内壁Ｗによって囲われる床スラブＳの上に複数の床パネル１・１…の各々の表面レベルがフロアポスト３・３…のアジャストボルト機構31・31…を介して面一に調整されて敷き詰められたレベル調整床であって、
これら床パネル１のうち、前記室内壁Ｗ側に位置する壁廻りパネル１ａ・１ａ…には、各々の壁際縁部11にチャンネル材２の凹部21を嵌合させることによって当該壁際縁部11に剛性を付与して荷重偏在によるレベル不整を防止して、かつ、前記チャンネル材２の上面に補強リブ22を設けることによって、当該チャンネル材２に剛性が付与されて強度が向上すると同時に、フローリング材５との間に溝形空間Ａが作出されるようにするという技術的手段を採用することによってレベル調整床パネルの壁際縁部の補強機構を完成させた。
【００１２】
また、本発明は、上記課題を解決するために、必要に応じて上記手段に加え、少なくとも隣接する壁廻りパネル１ａ・１ａの各々の壁際縁部11・11を跨いでチャンネル材２の凹部21が嵌合されて当該壁際縁部11に剛性を付与するという技術的手段を採用した。
【００１３】
【００１４】
更にまた、本発明は、上記課題を解決するために、必要に応じて上記手段に加え、室内壁Ｗとチャンネル材２との間に緩衝部材６を介装するという技術的手段を採用した。
【００１５】
更にまた、本発明は、上記課題を解決するために、必要に応じて上記手段に加え、チャンネル材２と緩衝部材６とを嵌合可能に形成するという技術的手段を採用した。
【００１６】
更にまた、本発明は、上記課題を解決するために、必要に応じて上記手段に加え、壁廻りパネル１ａの壁際縁部11に嵌合されたチャンネル材２の下面に、フロアポスト３を取り付けるという技術的手段を採用した。
【００１７】
更にまた、本発明は、上記課題を解決するために、必要に応じて上記手段に加え、室内壁Ｗとチャンネル材２とが固定可能な吊下げ部材７・７…を配設するという技術的手段を採用した。
【００１８】
また、本発明は、上記課題を解決するために、室内壁Ｗによって囲われる床スラブＳの上に床パネル１・１…を敷設するにあたり、
これら床パネル１・１…のうち、少なくとも室内壁Ｗ側に位置する各々の壁廻りパネル１ａの壁際縁部11に、チャンネル材２の凹部21を嵌合して剛性を付与する一方、
各床パネル１の表面のレベルをフロアポスト３・３…のアジャストボルト機構31・31…を介して面一に調整しながら敷き詰めてゆき、こうして敷き詰められた前記各床パネル１・１…のパネル表面上に捨張部材４とフローリング材５とを布設せしめるとともに、前記チャンネル材２の上面に、前記フローリング材５との間に溝形空間Ａが形成されるように補強リブ22を設け、当該チャンネル材２に剛性を付与して強度を向上せしめると同時に、この溝形空間Ａに配管や、電力・電話回線、信号回線などを配設するという技術的手段を採用することによってレベル調整床パネルの壁際縁部の補強工法を完成させた。
【００１９】
更にまた、本発明は、上記課題を解決するために、必要に応じて上記手段に加え、壁廻りパネル１ａの壁際縁部11にチャンネル材２を嵌合させてから、室内側に向かって床パネル１を敷き詰めてゆくという技術的手段を採用した。
【００２０】
【００２１】
更にまた、本発明は、上記課題を解決するために、必要に応じて上記手段に加え、室内壁Ｗとチャンネル材２との間に緩衝部材６を介装させて設置するという技術的手段を採用した。
【００２２】
更にまた、本発明は、上記課題を解決するために、必要に応じて上記手段に加え、チャンネル材２に吊下げ部材７・７…を配設し、室内壁Ｗに固定するという技術的手段を採用した。
【００２３】
【発明の実施の形態】
本発明の実施形態を具体的に図示した図面に基いて更に詳細に説明すると次のとおりである。
【００２４】
『第１実施形態』
本発明の第１実施形態を図１から図３に基いて説明する。図中、符号１で指示するものは床パネルであり、この床パネル１は室内壁Ｗによって囲われる床スラブＳの上に配列されている。そして、室内壁Ｗ側に位置する床パネル１を壁廻りパネル１ａと称する。また、本実施形態の床パネル１の使用材料としてパーティクルボードを採用する。
【００２５】
符号２で指示するものはチャンネル材であり、このチャンネル材２は金属や合成樹脂などを使用材料とする長尺部材であって、断面がコの字状の凹部21が形成されている。本実施形態ではアルミニウム製のものを採用する。
【００２６】
符号３で指示するものはフロアポストであり、このフロアポスト３には回転動作により支持面を上下に調整可能なアジャストボルト機構31が備えられている。
【００２７】
符号４で指示するものは捨張部材であり、この捨張部材４は必要に応じて床パネル１を補強してパネルの反りや暴れを防止する板部材であって、床パネル１を薄くしてコストダウンおよび重量の低減を図ることができる。
【００２８】
符号５で指示するものはフローリング材であり、このフローリング材５は床の最表層面に敷設するものである。
【００２９】
しかして、本実施形態の補強構造は、室内壁Ｗによって囲われる床スラブＳの上に床パネル１・１…を敷設するにあたり、これら床パネル１・１…のうち、少なくとも室内壁Ｗ側に位置する各々の壁廻りパネル１ａの壁際縁部11に、チャンネル材２の凹部21を嵌合して剛性を付与するものである。
【００３０】
具体的には、図２に示すようにチャンネル材２を室内壁Ｗ側に配設しておき、図中の丸囲み数字に従い、そこに床パネル１を端から順番に、壁際縁部11が凹部21に嵌合するように配置していき、止着ネジ８によって床パネル１とチャンネル材２とを確実に固定することによって壁際縁部11が保護されて補強することができると共に、剛性を付与することができる。
【００３１】
次に、室内壁Ｗ側の配置が終了したら部屋の内側に向かって床パネル１を配置して敷き詰めてゆき、位置が決まったら、各床パネル１の表面のレベルをフロアポスト３・３…のアジャストボルト機構31・31…を介して面一に調整することができる。
【００３２】
そして、こうして敷き詰められた前記各床パネル１・１…（図３参照）のパネル表面上に捨張部材４とフローリング材５とを布設せしめて、内装を完成させることができる。この際、捨張部材４をチャンネル材２の上片に重ならないように布設することにより、捨張部材４の端部を切削する必要がなく、また、捨張部材４およびフローリング材５ともにチャンネル材２の厚みによる反り上がりを防ぐことができる。
【００３３】
このようにして壁廻りパネル１ａの壁際縁部11を補強することにより、反りおよび削剥を防止することができるので、浮き上がってバタバタすることがない。また、根太を配置する必要がないので、根太から壁面へ振動が伝播するのを防ぐことができると同時に、作業労力およびコストの削減を実現することができる。
【００３４】
また、図示しないが、壁廻りパネル１ａの壁際縁部11に嵌合されたチャンネル材２の下面に、フロアポスト３を取り付けても良く、壁面に接することなく下方を支持することができる。
【００３５】
『第２実施形態』
次に、本発明の第２実施形態を図４に基いて説明する。本実施形態は、壁廻りパネル１ａの壁際縁部11に嵌合されたチャンネル材２の上面において、フローリング材５との間に溝形空間Ａが形成されるように補強リブ22を設けるところが第１実施形態と異なる点である。
【００３６】
このように補強リブ22を設けることによって、剛性が付与されて強度が向上すると同時に、上面に作出された溝形空間Ａに配管や、電力・電話回線、信号回線などを配設することができるので、フロア表面をスッキリとさせることができ、オフィスなどには非常に使い勝手が良い。また、補強リブ22の高さを捨張部材４の厚みと同じ高さにすることによって、フローリング材５の端部を支持して、端部の沈み込みを防ぐことができる。
【００３７】
『第３実施形態』
次に、本発明の第３実施形態を図５および図６に基いて説明する。本実施形態では、室内壁Ｗとチャンネル材２との間に緩衝部材６を介装するところが第１実施形態および第２実施形態と異なる点である。
【００３８】
本実施形態の緩衝部材６にはゴムなどの弾性を有する合成樹脂あるいはスポンジ状のものを採用することができる。図示したように緩衝部材６が室内壁Ｗに接触していることから、壁面に対する振動を吸収することができるのである。
【００３９】
また、図６に示すように、チャンネル材２に溝を設ける一方、緩衝部材６に突部を設け、これらを嵌合することによって確実に固定し、設置時に外れることがないので、非常に施工性が良い。
【００４０】
更にまた、第２実施形態と同様に補強リブ22を設けることも当然可能であり、より高性能な補強構造になる。
【００４１】
『第４実施形態』
次に、本発明の第４実施形態を図７および図８に基いて説明する。本実施形態では、チャンネル材２に吊下げ部材７・７…を配設し、室内壁Ｗに固定する。この吊下げ部材７によってチャンネル部材２を補強することにより、例えば、本棚や重量器具が載置される場合においても十分な強度を有することができる。この際、吊下げ部材７・７…は間隔をおいて複数個配設する。また、吊下げ部材７の突部がチャンネル材２の溝にスライド可能に嵌合されているので、レベル調整後であっても自由な位置で室内壁Ｗに固定することができる。
【００４２】
本発明は概ね上記のように構成されるが、本発明は図示の実施形態に限定されるものでは決してなく、「特許請求の範囲」の記載内において種々の変更が可能であって、例えば、チャンネル材２の使用材料はアルミニウムに限らず、他の金属を採用しても良いし、ＦＲＰやエンジニアリングプラスチックなどの高剛性の材料を採用しても良い。また、断面形状は図示したものに限らず、凹部21が壁廻りパネル１ａの壁際縁部11に嵌合できるものであれば良いし、また、補強リブ22を２条以上配設することもできるし、また、緩衝部材６には弾性部材としてコイルバネなどのバネ部材を採用しても良い。
【００４３】
更にまた、チャンネル材２は図９に示すように床パネル１の全周に配設しても良いが、図１０および図１１に示すように隣接する床パネルを跨ぐようにして断片的に配設することも可能であり、チャンネル材２の部材使用量を減少させることができ、何れのものも本発明の技術的範囲に属する。
【００４４】
【発明の効果】
以上、実施形態をもって説明したとおり、本発明においては、根太（際根太）を使用しないため、振動が壁面に伝播せず、遮音性がよく、かつ、上下に調整自在なフロアポストで支持するので、床パネルのレベル調整も容易であり、荷重偏在によるレベル不整を防止することができる。
【００４５】
また、壁廻りパネルの壁際縁部をチャンネル材の凹部に嵌合させるため、反りを防止することができると共に、このパネル材料にはパーティクルボードを使用することが多いけれども、壁際縁部の削剥を防止することもできる。
【００４６】
更にまた、チャンネル材を使用するだけなので、施工が簡単であり、工費の低減化と施工能率の向上に役立つ。そして、フローリング材とチャンネル材との間に溝形空間を形成する場合には、その空間に配管や、電力・電話回線、信号回線などを配設することができるので、フロア表面をスッキリとさせることができ、オフィスなどには非常に使い勝手が良いことから、実用的価値は頗る高いものがある。
【図面の簡単な説明】
【図１】  本発明の第１実施形態の補強構造を表わす断面図である。
【図２】  本発明の第１実施形態の補強構造の組立斜視図である。
【図３】  本発明の第１実施形態の補強構造の組立斜視図である。
【図４】  本発明の第２実施形態の補強構造を表わす断面図である。
【図５】  本発明の第３実施形態の補強構造を表わす断面図である。
【図６】  本発明の第３実施形態の補強構造を表わす断面図である。
【図７】  本発明の第４実施形態の補強構造を表わす断面図である。
【図８】  本発明の第４実施形態の補強構造を表わす斜視図である。
【図９】  本発明の実施形態におけるチャンネル材の配置例を表わす全体上面図である。
【図１０】  本発明の実施形態におけるチャンネル材の配置例を表わす全体上面図である。
【図１１】  本発明の実施形態におけるチャンネル材の配置例を表わす斜視図である
【図１２】  従来の床組み構造を表わす断面図である。
【図１３】  従来の床組み構造を表わす断面図である。
【符号の説明】
１    床パネル
１ａ  壁廻りパネル
11  壁際縁部
２    チャンネル材
21  凹部
22  補強リブ
３    フロアポスト
31  アジャストボルト機構
４    捨張部材
５    フローリング材
６    緩衝部材
７    吊下げ部材
８    止着ネジ
Ｗ    室内壁
Ｓ    床スラブ
Ａ    溝形空間
Ｎ    根太
【図１】
0003850278.tif 000002
【図２】
0003850278.tif 000003
【図３】
0003850278.tif 000004
【図４】
0003850278.tif 000005
【図５】
0003850278.tif 000006
【図６】
0003850278.tif 000007
【図７】
0003850278.tif 000008
【図８】
0003850278.tif 000009
【図９】
0003850278.tif 000010
【図１０】
0003850278.tif 000011
【図１１】
0003850278.tif 000012
【図１２】
0003850278.tif 000013
【図１３】
0003850278.tif 000014